(57)【要約】      （修正有）【課題】圧縮機メモリシステム、圧縮機情報ネットワークおよび保証管理方法を提供する。【解決手段】圧縮機メモリシステムは、モジュールに接続した第１不揮発性メモリを有する圧縮機を包含する。モジュールはプロセッサおよび第２不揮発性メモリを有する。モジュールは圧縮機に取り付けられ、プロセッサは第１および第２不揮発性メモリにアクセスする。  圧縮機は、製造データを格納する不揮発性メモリを有する。  圧縮機情報ネットワークは、ローカルモジュールとリモートモジュールを包含する。ローカルモジュールは、第１不揮発性メモリを包含する。プロセッサは、第１不揮発性メモリおよび第２不揮発性メモリと通信する。リモートモジュールは、情報のデータベースを包含する。  保証管理方法は、圧縮機のために保証を提供し、該保証のもとに請求を受け取り、非揮発性メモリに格納したデータを検査し、および該検査に基づいて請求に応答することを包含する。【選択図】図３
2006307855.tif 000002
【特許請求の範囲】
【請求項１】
モジュールに接続した第１不揮発性メモリを有する圧縮機からなり、前記モジュールがプロセッサおよび第２不揮発性メモリを有するシステムであって、第１不揮発性メモリは前記圧縮機と関連づけられ、前記モジュールは選択的に前記圧縮機に取り付けられ、且つ前記プロセッサは第１および第２不揮発性メモリにアクセスするように設定されているシステム。
【請求項２】
第１不揮発性メモリは、前記圧縮機の中に埋め込むかまたはタンパー耐性ハウジング内で前記圧縮機に貼り付けている請求項１記載のシステム。
【請求項３】
前記圧縮機の内部と外部とを電気的に接続させるために前記圧縮機に取り付けたコネクタブロックをさらに備え、第１不揮発性メモリは前記コネクタブロックの中に埋め込まれている請求項１記載のシステム。
【請求項４】
第１不揮発性メモリを含むＲＦＩＤデバイスをさらに備える請求項１記載のシステム。
【請求項５】
第１不揮発性メモリが、
圧縮機モデルタイプデータと、
圧縮機の型番データと、
圧縮機の容量データと、
前記圧縮機と関連づけ且つ圧縮機運転データを算出するのに用いた数値定数からなる圧縮機運転係数データと、
のうちの少なくともひとつを含む圧縮機特定データを格納する請求項１記載のシステム。
【請求項６】
第１不揮発性メモリが、
圧縮機の材料勘定書データと、
圧縮機の建造シートデータと、
圧縮機の建造日時データと、
圧縮機の建造プラントデータと、
圧縮機の建造シフトデータと、
圧縮機の建造組み立てラインデータと、
圧縮機のインスペクタデータと、
のうちの少なくともひとつを含む圧縮機特定データを格納する請求項１記載のシステム。
【請求項７】
第１不揮発性メモリが、
圧縮機のエネルギ効率比データと、
圧縮機の低電圧始動データと、
圧縮機のワット数データと、
圧縮機の最大電流データと、
圧縮機の冷媒流れデータと、
のうちの少なくともひとつを含む圧縮機特定データを格納する請求項１記載のシステム。
【請求項８】
第１不揮発性メモリが、
圧縮機の据え付け場所データと、
圧縮機の据え付け日時データと、
圧縮機の設置者データと、
圧縮機の購入場所データと、
のうちの少なくともひとつを含む圧縮機特定データを格納する請求項１記載のシステム。
【請求項９】
第１不揮発性メモリが、
圧縮機の修理日時データと、
圧縮機の修理タイプデータと、
圧縮機の修理パーツデータと、
圧縮機のサービス技術者データと、
のうちの少なくともひとつを含む圧縮機特定データを格納する請求項１記載のシステム。
【請求項１０】
第１不揮発性メモリが、
吸引圧力データと、
吐出圧力データと、
吸引温度データと、
吐出温度データと、
電流データと、
電圧データと、
環境温度データと、
圧縮機モータ温度データと、
圧縮エレメント温度データと、
圧縮機軸受温度データと、
オイル温度データと、
圧縮機制御データと、
のうちの少なくともひとつを含む圧縮機特定データを格納する請求項１記載のシステム。
【請求項１１】
第１不揮発性メモリが、
凝縮器温度データと、
蒸発器温度データと、
の少なくとも一方を含む冷凍システムデータを格納する請求項１記載のシステム。
【請求項１２】
第１不揮発性メモリが圧縮機の過失履歴データを格納する請求項１記載のシステム。
【請求項１３】
第１不揮発性メモリに書き込むデータおよび第１不揮発性メモリから読み取るデータの少なくとも一方を実行するために前記モジュールに接続した通信デバイスをさらに備える請求項１記載のシステム。
【請求項１４】
前記圧縮機に関連した製造データを格納する不揮発性メモリを有する圧縮機。
【請求項１５】
前記不揮発性メモリは、前記圧縮機の中に埋め込むかまたはタンパー耐性ハウジング内で前記圧縮機に貼り付ける請求項１４記載の圧縮機。
【請求項１６】
前記圧縮機の内部と外部とを電気的に接続させるために前記圧縮機に取り付けたコネクタブロックをさらに有し、前記不揮発性メモリが前記コネクタブロックの中に埋め込まれている請求項１４記載の圧縮機。
【請求項１７】
第１不揮発性メモリを含むＲＦＩＤデバイスをさらに有する請求項１４記載の圧縮機。
【請求項１８】
前記製造データが、
前記圧縮機のモデルタイプデータと、
前記圧縮機の型番データと、
前記圧縮機の容量データと、
前記圧縮機と関連づけ且つ圧縮機運転データを算出するのに用いた数値定数からなる前記圧縮機の運転係数データと、
のうちの少なくともひとつを含む請求項１４記載の圧縮機。
【請求項１９】
前記製造データが、
前記圧縮機の材料勘定書データと、
前記圧縮機の建造シートデータと、
前記圧縮機の建造日時データと、
前記圧縮機の建造プラントデータと、
前記圧縮機の建造シフトデータと、
前記圧縮機の建造組み立てラインデータと、
前記圧縮機のインスペクタデータと、
のうちの少なくともひとつを含む請求項１４記載の圧縮機。
【請求項２０】
前記製造データが、
前記圧縮機のエネルギ効率比データと、
前記圧縮機の低電圧始動データと、
前記圧縮機のワット数データと、
前記圧縮機の最大電流データと、
前記圧縮機の冷媒流れデータと、
のうちの少なくともひとつを含む請求項１４記載の圧縮機。
【請求項２１】
不揮発性メモリを有する圧縮機のために、前記不揮発性メモリの中に前記圧縮機に関連した製造データを格納することからなる方法。
【請求項２２】
前記不揮発性メモリの中に前記圧縮機に関連した製造データを格納することが、前記圧縮機の中に埋め込まれるかまたはタンパー耐性ハウジング内で前記圧縮機に貼り付けられる前記不揮発性メモリの中に製造データを格納することを含む請求項２１記載の方法。
【請求項２３】
前記不揮発性メモリの中に前記圧縮機に関連した製造データを格納することが、前記圧縮機に取り付けたコネクタブロックの中に埋め込まれた前記不揮発性メモリの中に製造データを格納することを含み、前記コネクタブロックは前記圧縮機の内部と外部とを電気的に接続させる請求項２１記載の方法。
【請求項２４】
前記不揮発性メモリの中に前記圧縮機に関連した製造データを格納することが、ＲＦＩＤデバイスの前記不揮発性メモリの中に製造データを格納することを含む請求項２１記載の方法。
【請求項２５】
前記製造データを格納することが、
前記圧縮機のモデルタイプデータと、
前記圧縮機の型番データと、
前記圧縮機の容量データと、
前記圧縮機と関連づけ且つ圧縮機運転データを算出するのに用いた数値定数からなる前記圧縮機の運転係数データと、
のうちの少なくともひとつを格納することを含む請求項２１記載の方法。
【請求項２６】
前記製造データを格納することが、
前記圧縮機の材料勘定書データと、
前記圧縮機の建造シートデータと、
前記圧縮機の建造日時データと、
前記圧縮機の建造プラントデータと、
前記圧縮機の建造シフトデータと、
前記圧縮機の建造組み立てラインデータと、
前記圧縮機のインスペクタデータと、
のうちの少なくともひとつを格納することを含む請求項２１記載の方法。
【請求項２７】
前記製造データを格納することが、
前記圧縮機のエネルギ効率比データと、
前記圧縮機の低電圧始動データと、
前記圧縮機のワット数データと、
前記圧縮機の最大電流データと、
前記圧縮機の冷媒流れデータと、
のうちの少なくともひとつを格納することを含む請求項１４記載の圧縮機。
【請求項２８】
第２不揮発性メモリおよび運転メモリのうちの少なくとも一方と関連づけたプロセッサを用いて、圧縮機と関連づけた第１不揮発性メモリにアクセスし、
第２不揮発性メモリおよび第１不揮発性メモリの中の前記運転メモリの少なくとも一方から圧縮機データを格納し、
圧縮機性能を評価するために第１不揮発性メモリの中の前記圧縮機データにアクセスする、
ことからなる方法。
【請求項２９】
第１不揮発性メモリにアクセスすることが、前記圧縮機の中に埋め込むかまたはタンパー耐性ハウジング内で前記圧縮機に貼り付けた第１不揮発性メモリにアクセスすることを含む請求項２８記載の方法。
【請求項３０】
コネクタブロックを経て前記圧縮機の内部と外部を電気的に接続することをさらに有し、第１不揮発性メモリにアクセスすることがコネクタブロックの中に埋め込んだ第１不揮発性メモリにアクセスすることを含む請求項２８記載の方法。
【請求項３１】
第１不揮発性メモリにアクセスすることが、ＲＦＩＤデバイスの第１不揮発性メモリにアクセスすることを含む請求項２８記載の方法。
【請求項３２】
圧縮機データを格納することが、
圧縮機モデルタイプデータと、
圧縮機の型番データと、
圧縮機の容量データと、
前記圧縮機と関連づけ且つ圧縮機運転データを算出するのに用いた数値定数からなる圧縮機運転係数データと、
のうちの少なくともひとつを格納することを含む請求項２８記載の方法。
【請求項３３】
前記圧縮機データを格納することが、前記圧縮機と関連づけた数値定数からなる圧縮機運転係数データを格納することを含み、前記方法は、圧縮機の数値定数に基づいて圧縮機運転データを算出することをさらに有する請求項２８記載の方法。
【請求項３４】
圧縮機データを格納することが、
圧縮機の材料勘定書データと、
圧縮機の建造シートデータと、
圧縮機の建造日時データと、
圧縮機の建造プラントデータと、
圧縮機の建造シフトデータと、
圧縮機の建造組み立てラインデータと、
圧縮機のインスペクタデータと、
のうちの少なくともひとつを格納することを含む請求項２８記載の方法。
【請求項３５】
圧縮機データを格納することが、
圧縮機のエネルギ効率比データと、
圧縮機の低電圧始動データと、
圧縮機のワット数データと、
圧縮機の最大電流データと、
圧縮機の冷媒流れデータと、
のうちの少なくともひとつを格納することを含む請求項２８記載の方法。
【請求項３６】
圧縮機データを格納することが、
圧縮機の据え付け場所データと、
圧縮機の据え付け日時データと、
圧縮機の設置者データと、
圧縮機の購入場所データと、
のうちの少なくともひとつを格納することを含む請求項２８記載の方法。
【請求項３７】
圧縮機データを格納することが、
圧縮機の修理日時データと、
圧縮機の修理タイプデータと、
圧縮機の修理パーツデータと、
圧縮機のサービス技術者データと、
のうちの少なくともひとつを格納することを含む請求項２８記載の方法。
【請求項３８】
圧縮機データを格納することが、
吸引圧力データと、
吐出圧力データと、
吸引温度データと、
吐出温度データと、
電流データと、
電圧データと、
環境温度データと、
圧縮機モータ温度データと、
圧縮エレメント温度データと、
圧縮機軸受温度データと、
オイル温度データと、
圧縮機制御データと、
のうちの少なくともひとつを格納することを含む請求項２８記載の方法。
【請求項３９】
第２不揮発性メモリおよび第１不揮発性メモリの中の前記運転メモリの少なくと一方から冷凍システムデータを格納することをさらに有し、冷凍システムデータを格納することが、
凝縮器温度データと、
蒸発器温度データと、
の少なくとも一方を格納することを含む請求項２８記載の方法。
【請求項４０】
圧縮機データを格納することが、圧縮機の過失履歴データを格納することを含む請求項２８記載の方法。
【請求項４１】
プロセッサおよび第1不揮発性メモリを含む取り外し可能なモジュールを有する圧縮機のために、
圧縮機と関連づけた第２不揮発性メモリの中に格納された圧縮機データにアクセスし、
前記圧縮機データを評価して圧縮機性能を決定する、
ことからなる性能評価方法。
【請求項４２】
第２不揮発性メモリの中に格納された前記圧縮機データにアクセスすることが、圧縮機の中に埋め込むかまたはタンパー耐性ハウジング内で圧縮機に貼り付けた第２不揮発性メモリにアクセスすることを含む請求項４１記載の方法。
【請求項４３】
コネクタブロックを経て前記圧縮機の内部と外部を電気的に接続することをさらに有し、前記圧縮機データにアクセスすることが、前記コネクタブロックの中に埋め込んだ第２不揮発性メモリにアクセスすることを含む請求項４１記載の方法。
【請求項４４】
前記圧縮機データにアクセスすることが、ＲＦＩＤデバイスの第２不揮発性メモリにアクセスすることを含む請求項４１記載の方法。
【請求項４５】
前記圧縮機データにアクセスすることが、
圧縮機モデルタイプデータと、
圧縮機の型番データと、
圧縮機の容量データと、
前記圧縮機と関連づけ且つ圧縮機運転データを算出するのに用いた数値定数からなる圧縮機運転係数データと、
のうちの少なくともひとつにアクセスすることを含む請求項４１記載の方法。
【請求項４６】
前記圧縮機データにアクセスすることが、
圧縮機の材料勘定書データと、
圧縮機の建造シートデータと、
圧縮機の建造日時データと、
圧縮機の建造プラントデータと、
圧縮機の建造シフトデータと、
圧縮機の建造組み立てラインデータと、
圧縮機のインスペクタデータと、
のうちの少なくともひとつにアクセスすることを含む請求項４１記載の方法。
【請求項４７】
前記圧縮機データにアクセスすることが、
圧縮機のエネルギ効率比データと、
圧縮機の低電圧始動データと、
圧縮機のワット数データと、
圧縮機の最大電流データと、
圧縮機の冷媒流れデータと、
のうちの少なくともひとつにアクセスすることを含む請求項４１記載の方法。
【請求項４８】
前記圧縮機データにアクセスすることが、
圧縮機の据え付け場所データと、
圧縮機の据え付け日時データと、
圧縮機の設置者データと、
圧縮機の購入場所データと、
のうちの少なくともひとつにアクセスすることを含む請求項４１記載の方法。
【請求項４９】
前記圧縮機データにアクセスすることが、
圧縮機の修理日時データと、
圧縮機の修理タイプデータと、
圧縮機の修理パーツデータと、
圧縮機のサービス技術者データと、
のうちの少なくともひとつにアクセスすることを含む請求項４１記載の方法。
【請求項５０】
前記圧縮機データにアクセスすることが、
吸引圧力データと、
吐出圧力データと、
吸引温度データと、
吐出温度データと、
電流データと、
電圧データと、
環境温度データと、
圧縮機モータ温度データと、
圧縮エレメント温度データと、
圧縮機軸受温度データと、
オイル温度データと、
圧縮機制御データと、
のうちの少なくともひとつにアクセスすることを含む請求項４１記載の方法。
【請求項５１】
圧縮機に関連づけた第２不揮発性メモリから冷凍システムデータにアクセスすることをさらに有し、
凝縮器温度データと、
蒸発器温度データと、
の少なくとも一方にアクセスすることを含む請求項４１記載の方法。
【請求項５２】
前記圧縮機データにアクセスすることが、圧縮機の過失履歴データにアクセスすることを含む請求項４１記載の方法。
【請求項５３】
複数のローカルモジュールと通信動作可能なリモートモジュールからなるシステムであって、各々のローカルモジュールはプロセッサおよび該プロセッサと関連づけた第１不揮発性メモリを含み、前記プロセッサは第１不揮発性および該プロセッサと関連づけた第２不揮発性メモリと通信し、前記リモートモジュールは第２不揮発性メモリからコピーした情報のデータベースを含むシステム。
【請求項５４】
第２不揮発性メモリは、前記圧縮機の中に埋め込むかまたはタンパー耐性ハウジング内で前記圧縮機に貼り付ける請求項５３記載のシステム。
【請求項５５】
前記圧縮機の内部と外部を電気的に接続させるために前記圧縮機に取り付けたコネクタブロックをさらに備え、第２不揮発性メモリは前記コネクタブロックの中に埋め込んでいる請求項５３記載のシステム。
【請求項５６】
第２不揮発性メモリを含むＲＦＩＤデバイスをさらに備える請求項５３記載のシステム。
【請求項５７】
前記ローカルモジュールは、選択的に前記圧縮機に取り付けられる請求項５３記載のシステム。
【請求項５８】
前記ローカルモジュールは、保護・制御システム、システムコントローラまたはハンドヘルド計算デバイスのひとつである請求項５３記載のシステム。
【請求項５９】
前記リモートモジュールは、コンピュータネットワークを経由して接続されている請求項５３記載のシステム。
【請求項６０】
前記圧縮機は、該圧縮機の内部と外部を電気的に接続させるために前記圧縮機に取り付けたコネクタブロックを有し、且つ第２不揮発性メモリは、前記コネクタブロックの中に埋め込まれている請求項５３記載のシステム。
【請求項６１】
第２不揮発性メモリが、
圧縮機モデルタイプデータと、
圧縮機の型番データと、
圧縮機の容量データと、
前記圧縮機と関連づけ且つ圧縮機運転データを算出するのに用いた数値定数からなる圧縮機運転係数データと、
のうちの少なくともひとつを含む圧縮機特定データを格納し、
且つ前記ローカルモジュールは、前記データベースに格納するために前記圧縮機特定データを前記リモートモジュールに送信する請求項５３記載のシステム。
【請求項６２】
第２不揮発性メモリが、
圧縮機の材料勘定書データと、
圧縮機の建造シートデータと、
圧縮機の建造日時データと、
圧縮機の建造プラントデータと、
圧縮機の建造シフトデータと、
圧縮機の建造組み立てラインデータと、
圧縮機のインスペクタデータと、
のうちの少なくともひとつを含む圧縮機特定データを格納し、
且つ前記ローカルモジュールは、前記データベースに格納するために前記圧縮機特定データを前記リモートモジュールに送信する請求項５３記載のシステム。
【請求項６３】
第２不揮発性メモリが、
圧縮機のエネルギ効率比データと、
圧縮機の低電圧始動データと、
圧縮機のワット数データと、
圧縮機の最大電流データと、
圧縮機の冷媒流れデータと、
のうちの少なくともひとつを含む圧縮機特定データを格納し、
且つ前記ローカルモジュールは、前記データベースに格納するために前記圧縮機特定データを前記リモートモジュールに送信する請求項５３記載のシステム。
【請求項６４】
第２不揮発性メモリが、
圧縮機の据え付け場所データと、
圧縮機の据え付け日時データと、
圧縮機の設置者データと、
圧縮機の購入場所データと、
のうちの少なくともひとつを含む圧縮機特定データを格納し、
且つ前記ローカルモジュールは、前記データベースに格納するために前記圧縮機特定データを前記リモートモジュールに送信する請求項５３記載のシステム。
【請求項６５】
第２不揮発性メモリが、
圧縮機の修理日時データと、
圧縮機の修理タイプデータと、
圧縮機の修理パーツデータと、
圧縮機のサービス技術者データと、
のうちの少なくともひとつを含む圧縮機特定データを格納し、
且つ前記ローカルモジュールは、前記データベースに格納するために前記圧縮機特定データを前記リモートモジュールに送信する請求項５３記載のシステム。
【請求項６６】
第２不揮発性メモリが、
吸引圧力データと、
吐出圧力データと、
吸引温度データと、
吐出温度データと、
電流データと、
電圧データと、
環境温度データと、
圧縮機モータ温度データと、
圧縮エレメント温度データと、
圧縮機軸受温度データと、
オイル温度データと、
圧縮機制御データと、
のうちの少なくともひとつを含む圧縮機特定データを格納し、
且つ前記ローカルモジュールは、前記データベースに格納するために前記圧縮機特定データを前記リモートモジュールに送信する請求項５３記載のシステム。
【請求項６７】
第２不揮発性メモリが、
凝縮器温度データと、
蒸発器温度データと、
の少なくとも一方を含む冷凍システムデータを格納し、
且つ前記ローカルモジュールは、前記データベースに格納するために前記冷凍システムデータを前記リモートモジュールに送信する請求項５３記載のシステム。
【請求項６８】
第２不揮発性メモリは圧縮機過失履歴データを格納し、且つ前記ローカルモジュールは、前記データベースに格納するために前記圧縮機過失履歴データを前記リモートモジュールに送信する請求項５３記載のシステム。
【請求項６９】
複数のローカルモジュールと通信するリモートモジュールのために、
各々のローカルモジュールのために、第２不揮発性メモリおよび運転メモリの少なくと一方と関連づけたプロセッサを用いて、圧縮機と関連づけた第１不揮発性メモリにアクセスし、且つ第２不揮発性メモリおよび第１不揮発性メモリの中の運転メモリのうちの少なくとも一方から圧縮機データを格納し、
リモートモジュールのために、各々の第１不揮発性メモリの中の前記圧縮機データにアクセスし、前記圧縮機データをデータベースに格納し、且つ圧縮機性能を評価するために前記データベースにアクセスする、
ことからなる圧縮機性能の評価方法。
【請求項７０】
各々の第１不揮発性メモリの中の前記圧縮機データにアクセスすることは、コンピュータネットワークによって前記圧縮機データにアクセスすることを含む請求項６９記載の方法。
【請求項７１】
リモートモジュールのために、前記圧縮機データにアクセスすることは、
圧縮機モデルタイプデータと、
圧縮機の型番データと、
圧縮機の容量データと、
前記圧縮機と関連づけ且つ圧縮機運転データを算出するのに用いた数値定数からなる圧縮機運転係数データと、
のうちの少なくともひとつにアクセスすることを含む請求項６９記載の方法。
【請求項７２】
リモートモジュールのために、前記圧縮機データにアクセスすることは、
圧縮機の材料勘定書データと、
圧縮機の建造シートデータと、
圧縮機の建造日時データと、
圧縮機の建造プラントデータと、
圧縮機の建造シフトデータと、
圧縮機の建造組み立てラインデータと、
圧縮機のインスペクタデータと、
のうちの少なくともひとつにアクセスすることを含む請求項６９記載の方法。
【請求項７３】
リモートモジュールのために、前記圧縮機データにアクセスすることは、
圧縮機のエネルギ効率比データと、
圧縮機の低電圧始動データと、
圧縮機のワット数データと、
圧縮機の最大電流データと、
圧縮機の冷媒流れデータと、
のうちの少なくともひとつにアクセスすることを含む請求項６９記載の方法。
【請求項７４】
リモートモジュールのために、前記圧縮機データにアクセスすることは、
圧縮機の据え付け場所データと、
圧縮機の据え付け日時データと、
圧縮機の設置者データと、
圧縮機の購入場所データと、
のうちの少なくともひとつにアクセスすることを含む請求項６９記載の方法。
【請求項７５】
リモートモジュールのために、前記圧縮機データにアクセスすることは、
圧縮機の修理日時データと、
圧縮機の修理タイプデータと、
圧縮機の修理パーツデータと、
圧縮機のサービス技術者データと、
のうちの少なくともひとつにアクセスすることを含む請求項６９記載の方法。
【請求項７６】
リモートモジュールのために、前記圧縮機データにアクセスすることは、
吸引圧力データと、
吐出圧力データと、
吸引温度データと、
吐出温度データと、
電流データと、
電圧データと、
環境温度データと、
圧縮機モータ温度データと、
圧縮エレメント温度データと、
圧縮機軸受温度データと、
オイル温度データと、
圧縮機制御データと、
のうちの少なくともひとつにアクセスすることを含む請求項６９記載の方法。
【請求項７７】
各々のローカルモジュールのために、第２不揮発性メモリおよび第１不揮発性メモリの中の前記運転メモリの少なくとも一方から冷凍システムデータを格納し、
リモートモジュールのために、各々の第１不揮発性メモリの中の冷凍システムデータにアクセスし、且つ前記データベースの中に前記冷凍システムデータを格納する、
ことをさらに有する請求項６９記載の方法。
【請求項７８】
リモートモジュールのために、前記冷凍システムデータにアクセスすることは、凝縮器温度データおよび蒸発機温度データの少なくと一方にアクセスすることを含む請求項７７記載の方法。
【請求項７９】
リモートモジュールのために、前記圧縮機データにアクセスすることは、圧縮機の過失履歴データにアクセスすることを含む請求項６９記載の方法。
【請求項８０】
不揮発性メモリを有する圧縮機に保証を提供し、
前記保証のもとに請求を受け取り、
前記不揮発性メモリの中に格納したデータを検査し、および
前記検査に基づいて前記請求に応答する、
ことからなる方法。
【請求項８１】
前記不揮発性メモリに格納したデータを検査することは、前記圧縮機の中に埋め込むかまたはタンパー耐性ハウジング内で前記圧縮機に貼り付けた前記不揮発性メモリを検査することを含む請求項８０記載の方法。
【請求項８２】
前記不揮発性メモリに格納したデータを検査することは、前記圧縮機の内部と外部との電気的接続を得るコネクタブロックの中に埋め込んだ前記不揮発性メモリを検査することを含む請求項８０記載の方法。
【請求項８３】
前記不揮発性メモリに格納したデータを検査することは、ＲＦＩＤデバイスの中の前記不揮発性メモリを検査することを含む請求項８０記載の方法。
【請求項８４】
前記保証を提供することは、前記圧縮機が交換または修理されうる諸条件を提供することを含む請求項８０記載の方法。
【請求項８５】
前記保証を提供することは前記圧縮機の誤使用を定義することを含み、且つ前記請求に応答することは、前記データに基づいて圧縮機誤使用を決定し、そして前記データが圧縮機誤使用を指摘するときに前記圧縮機を交換または修理することを拒否することを含む請求項８０記載の方法。
【請求項８６】
誤使用を定義することは前記圧縮機について少なくともひとつの許容運転範囲を定義することを含み、且つ圧縮機誤使用を決定することは前記データを少なくともひとつの許容運転範囲と比較することを含む請求項８５記載の方法。
【請求項８７】
少なくともひとつの許容運転範囲を定義することは、冷媒レベル範囲と、冷媒圧力範囲と、冷媒温度範囲と、電流範囲と、電圧範囲と、環境温度範囲と、圧縮機モータ温度範囲と、圧縮機軸受温度範囲と、オイル温度データ範囲とのうちの少なくともひとつを定義することを含む請求項８６記載の方法。
【請求項８８】
前記保証を提供することは前記圧縮機の誤使用を定義することを含み、且つ前記請求に応答することは、前記データおよび前記保証に基づいて圧縮機誤使用を決定し、そして前記データが圧縮機誤使用を示していないときに前記圧縮機を交換または修理することを含む請求項８０記載の方法。
【請求項８９】
前記請求に応答することは、前記データが圧縮機が機能していることを示すときに前記圧縮機を交換または修理することを拒否することを含む請求項８０記載の方法。
【請求項９０】
前記請求に応答することは、前記検査に基づいて圧縮機の機能不良の原因を決定し、前記決定に基づいて前記圧縮機を修理することを含む請求項８０記載の方法。
【請求項９１】
前記データを検査することが、
圧縮機モデルタイプデータと、
圧縮機の型番データと、
圧縮機の容量データと、
前記圧縮機と関連づけ且つ圧縮機運転データを算出するのに用いた数値定数からなる圧縮機運転係数データと、
のうちの少なくともひとつを検査することを含む請求項８０記載の方法。
【請求項９２】
前記データを検査することが、
圧縮機の材料勘定書データと、
圧縮機の建造シートデータと、
圧縮機の建造日時データと、
圧縮機の建造プラントデータと、
圧縮機の建造シフトデータと、
圧縮機の建造組み立てラインデータと、
圧縮機のインスペクタデータと、
のうちの少なくともひとつを検査することを含む請求項８０記載の方法。
【請求項９３】
前記データを検査することが、
圧縮機のエネルギ効率比データと、
圧縮機の低電圧始動データと、
圧縮機のワット数データと、
圧縮機の最大電流データと、
圧縮機の冷媒流れデータと、
のうちの少なくともひとつを検査することを含む請求項８０記載の方法。
【請求項９４】
前記データを検査することが、
圧縮機の据え付け場所データと、
圧縮機の据え付け日時データと、
圧縮機の設置者データと、
圧縮機の購入場所データと、
のうちの少なくともひとつを検査することを含む請求項８０記載の方法。
【請求項９５】
前記データを検査することが、
圧縮機の修理日時データと、
圧縮機の修理タイプデータと、
圧縮機の修理パーツデータと、
圧縮機のサービス技術者データと、
のうちの少なくともひとつを検査することを含む請求項８０記載の方法。
【請求項９６】
前記データを検査することが、
吸引圧力データと、
吐出圧力データと、
吸引温度データと、
吐出温度データと、
電流データと、
電圧データと、
環境温度データと、
圧縮機モータ温度データと、
圧縮エレメント温度データと、
圧縮機軸受温度データと、
オイル温度データと、
圧縮機制御データと、
のうちの少なくともひとつを検査することを含む請求項８０記載の方法。
【請求項９７】
前記データを検査することが、
凝縮器温度データと、
蒸発器温度データと、
の少なくとも一方を検査することを含む請求項８０記載の方法。
【請求項９８】
前記データを検査することが、圧縮機の過失履歴データを検査することを含む請求項８０記載の方法。
【請求項９９】
不揮発性メモリを有する圧縮機を保証し、
前記圧縮機の修理または交換のための請求を受け取り、
前記圧縮機が誤使用されたかどうかを決定するために前記不揮発性メモリに格納したデータにアクセスし、
前記データが前記圧縮機を誤使用したことを指摘するときに前記圧縮機を修理または交換することを拒否し、および
前記データが前記圧縮機を誤使用していなかったことを示すときに前記圧縮機を修理または交換する、
ことからなる方法。
【請求項１００】
前記不揮発性メモリの中の前記データにアクセスすることは、前記圧縮機の中に埋め込むかまたはタンパー耐性ハウジング内で前記圧縮機に貼り付けた前記不揮発性メモリにアクセスすることを含む請求項９９記載の方法。
【請求項１０１】
前記不揮発性メモリの中のデータにアクセスすることは、前記圧縮機の内部と外部との電気的接続を得るコネクタブロックの中に埋め込んだ前記不揮発性メモリにアクセスすることを含む請求項９９記載の方法。
【請求項１０２】
前記不揮発性メモリの中のデータにアクセスすることは、ＲＦＩＤデバイスの中の前記不揮発性メモリにアクセスすることを含む請求項９９記載の方法。
【請求項１０３】
前記圧縮機を保証することは、圧縮機誤使用を定義することを含む請求項９９記載の方法。
【請求項１０４】
圧縮機誤使用を定義することは、前記圧縮機について少なくともひとつの許容運転範囲を定義することを含む請求項１０３記載の方法。
【請求項１０５】
少なくともひとつの許容運転範囲を定義することは、冷媒レベル範囲と、冷媒圧力範囲と、冷媒温度範囲と、電流範囲と、電圧範囲と、環境温度範囲と、圧縮機モータ温度範囲と、圧縮機軸受温度範囲と、オイル温度データ範囲とのうちの少なくともひとつを定義することを含む請求項１０４記載の方法。
【請求項１０６】
前記圧縮機が誤使用されたかどうかを決定するために前記不揮発性メモリに格納した前記データにアクセスすることは、前記データを少なくともひとつの許容運転範囲と比較し、そして前記圧縮機が前記比較に基づいて誤使用されたかどうかを決定することを含む請求項１０５記載の方法。
【発明の詳細な説明】
【技術分野】
【０００１】
本発明は、圧縮機に関し、詳言すればメモリシステムを有する圧縮機に関する。
【背景技術】
【０００２】
このセクションにおける論述は、単に本発明に関連した背景情報を提供し、従来技術を構成するものではない。
【０００３】
圧縮機は、所望の加熱または冷却作用を得るために、冷媒を冷凍、ヒートポンプ、ＨＶＡＣまたは冷却器システム（一般に「冷凍システム」と称する）内で循環させ、種々の工業的および住居向きの用途に用いられる。各々の用途において、圧縮機が首尾一貫且つ効率的な運転を得て冷凍システムが適正に機能することが望ましい。このために、圧縮機は、関連づけた保護・制御システムによって稼働させればよい。
【０００４】
保護・制御システムは、圧縮機または冷凍システムセンサによって発生した運転信号を監視し、且つ圧縮機または冷凍システム運転データを測定すればよい。例えば、保護・制御システムは、圧縮機または冷凍システムの過失が起こったか否かを決定してもよい。しかしながら、このようなデータは、保護・制御システムが向きを変えたりおよび／または保護・制御システムがもはや圧縮機と関連づけられていないと失われることになる。
【０００５】
特殊な保護・制御システムは、性能が異なる若干の違った圧縮機モデルおよびタイプと互換性を持っている。伝統的に据え付け時には、例えば、圧縮機モデル、タイプおよび容量に相当する数値定数を含む圧縮機特定データを保護・制御システムにロードすることが必要である。このような圧縮機データは、一般に圧縮機製造者によって公表され、且つ冷凍システム設計時に使用されている。この圧縮機データは、圧縮機および／または冷凍システムを制御、保護および／または診断するために、圧縮機の運転時に保護・制御システムによって使用されている。
【０００６】
圧縮機データを保護・制御システムにロードすることは、現場において設置者によって行われる追加のステップである。圧縮機データをロードする際に現場における設置者による過誤は、直ちに現れることがなく、将来の圧縮機または冷凍システムの運転に問題をもたらすかもしれない。さらに、保護・制御システムまたは圧縮機のいずれかが交換されるならば、圧縮機データを再ロードしなければならない。現場において、このような圧縮機データは、保護・制御システムと圧縮機とがもはや関連づけられていないと失われてしまう。
【特許文献１】米国特許出願第１１／０５９６４６号、公表第２００５／０２３５６６０号
【発明の開示】
【課題を解決するための手段】
【０００７】
システムには、モジュールに接続した第１不揮発性メモリを有する圧縮機を備えるものを提供している。モジュールはプロセッサおよび第２不揮発性メモリを有する。第１不揮発性メモリは前記圧縮機と関連づけている。モジュールは、選択的に前記圧縮機に取り付けられ、且つ前記プロセッサは第１および第２不揮発性メモリにアクセスするように設定されている
【０００８】
他の特徴において、第１不揮発性メモリは、前記圧縮機の中に埋め込むかまたはタンパー耐性ハウジング内で前記圧縮機に貼り付けている。
【０００９】
他の特徴において、システムは、圧縮機の内部と外部とを電気的に接続させるために前記圧縮機に取り付けたコネクタブロックをさらに備え、且つ第１不揮発性メモリは前記コネクタブロックの中に埋め込まれる。
【００１０】
他の特徴において、システムは、第１不揮発性メモリを含むＲＦＩＤデバイスをさらに備える。
【００１１】
他の特徴において、第１不揮発性メモリは、圧縮機モデルタイプデータと、圧縮機の型番データと、圧縮機の容量データと、前記圧縮機と関連づけ且つ圧縮機運転データを算出するのに用いた数値定数からなる圧縮機運転係数データとのうちの少なくともひとつを含む圧縮機特定データを格納する。
【００１２】
他の特徴において、第１不揮発性メモリは、圧縮機の材料勘定書データと、圧縮機の建造シートデータと、圧縮機の建造日時データと、圧縮機の建造プラントデータと、圧縮機の建造シフトデータと、圧縮機の建造組み立てラインデータと、圧縮機のインスペクタデータとのうちの少なくともひとつを含む圧縮機特定データを格納する。
【００１３】
他の特徴において、第１不揮発性メモリは、圧縮機のエネルギ効率比データと、圧縮機の低電圧始動データと、圧縮機のワット数データと、圧縮機の最大電流データと、圧縮機の冷媒流れデータとのうちの少なくともひとつを含む圧縮機特定データを格納する。
【００１４】
他の特徴において、第１不揮発性メモリは、圧縮機の据え付け場所データと、圧縮機の据え付け日時データと、圧縮機の設置者データと、圧縮機の購入場所データとのうちの少なくともひとつを含む圧縮機特定データを格納する。
【００１５】
他の特徴において、第１不揮発性メモリは、圧縮機の修理日時データと、圧縮機の修理タイプデータと、圧縮機の修理パーツデータと、圧縮機のサービス技術者データとのうちの少なくともひとつを含む圧縮機特定データを格納する。
【００１６】
他の特徴において、第１不揮発性メモリは、吸引圧力データと、吐出圧力データと、吸引温度データと、吐出温度データと、電流データと、電圧データと、環境温度データと、圧縮機モータ温度データと、圧縮エレメント温度データと、圧縮機軸受温度データと、オイル温度データと、圧縮機制御データとのうちの少なくともひとつを含む圧縮機特定データを格納する。
【００１７】
他の特徴において、第１不揮発性メモリは、凝縮器温度データと、蒸発器温度データとの少なくとも一方を含む冷凍システムデータを格納する。
【００１８】
他の特徴において、第１不揮発性メモリは圧縮機の過失履歴データを格納する。
【００１９】
他の特徴において、システムは、第１不揮発性メモリに書き込むデータおよび／または第１不揮発性メモリから読み取るデータを実行するためにモジュールに接続した通信デバイスを備える。
【００２０】
さらに、圧縮機には、該圧縮機に関連した製造データを格納する不揮発性メモリを有するものを提供している。
【００２１】
他の特徴において、不揮発性メモリは、圧縮機の中に埋め込むかまたはタンパー耐性ハウジング内で前記圧縮機に貼り付ける。
【００２２】
他の特徴において、圧縮機は、該圧縮機の内部と外部とを電気的に接続させるために該圧縮機に取り付けたコネクタブロックを有し、不揮発性メモリが該コネクタブロックの中に埋め込まれている。
【００２３】
他の特徴において、圧縮機は、第１不揮発性メモリを含むＲＦＩＤデバイスを有する。
【００２４】
他の特徴において、製造データは、前記圧縮機のモデルタイプデータと、前記圧縮機の型番データと、前記圧縮機の容量データと、前記圧縮機と関連づけ且つ圧縮機運転データを算出するのに用いた数値定数からなる前記圧縮機の運転係数データとのうちの少なくともひとつを含む。
【００２５】
他の特徴において、製造データは、前記圧縮機の材料勘定書データと、前記圧縮機の建造シートデータと、前記圧縮機の建造日時データと、前記圧縮機の建造プラントデータと、前記圧縮機の建造シフトデータと、前記圧縮機の建造組み立てラインデータと、前記圧縮機のインスペクタデータとのうちの少なくともひとつを含む。
【００２６】
他の特徴において、製造データは、前記圧縮機のエネルギ効率比データと、前記圧縮機の低電圧始動データと、前記圧縮機のワット数データと、前記圧縮機の最大電流データと、前記圧縮機の冷媒流れデータとのうちの少なくともひとつを含む。
【００２７】
方法は、不揮発性メモリを有する圧縮機のために提供される。この方法は、不揮発性メモリの中に前記圧縮機に関連した製造データを格納することを含んでいる。
【００２８】
他の特徴において、不揮発性メモリの中に圧縮機に関連した製造データを格納することは、圧縮機の中に埋め込まれるかまたはタンパー耐性ハウジング内で圧縮機に貼り付けられる不揮発性メモリの中に製造データを格納することを含む。
【００２９】
他の特徴において、不揮発性メモリの中に圧縮機に関連した製造データを格納することは、圧縮機に取り付けたコネクタブロックの中に埋め込まれた不揮発性メモリの中に製造データを格納することを含み、該コネクタブロックは圧縮機の内部と外部とを電気的に接続させる。
【００３０】
他の特徴において、不揮発性メモリの中に圧縮機に関連した製造データを格納することは、ＲＦＩＤデバイスの不揮発性メモリの中に製造データを格納することを含む。
【００３１】
他の特徴において、製造データを格納することは、圧縮機のモデルタイプデータと、圧縮機の型番データと、圧縮機の容量データと、圧縮機と関連づけ且つ圧縮機運転データを算出するのに用いた数値定数からなる圧縮機の運転係数データとのうちの少なくともひとつを格納することを含む。
【００３２】
他の特徴において、製造データを格納することは、圧縮機の材料勘定書データと、圧縮機の建造シートデータと、圧縮機の建造日時データと、圧縮機の建造プラントデータと、圧縮機の建造シフトデータと、圧縮機の建造組み立てラインデータと、圧縮機のインスペクタデータとのうちの少なくともひとつを格納することを含む。
【００３３】
他の特徴において、製造データを格納することは、圧縮機のエネルギ効率比データと、圧縮機の低電圧始動データと、圧縮機のワット数データと、圧縮機の最大電流データと、圧縮機の冷媒流れデータとのうちの少なくともひとつを格納することを含む。
【００３４】
方法には、第２不揮発性メモリおよび運転メモリのうちの少なくとも一方と関連づけたプロセッサを用いて、圧縮機と関連づけた第１不揮発性メモリにアクセスすることを含むことを提供している。また、この方法は、第２不揮発性メモリおよび／または第１不揮発性メモリの中の運転メモリから圧縮機データを格納し、且つ圧縮機性能を評価するために第１不揮発性メモリの中の圧縮機データにアクセスすることを含む。
【００３５】
他の特徴において、第１不揮発性メモリにアクセスすることは、圧縮機の中に埋め込むかまたはタンパー耐性ハウジング内で前記圧縮機に貼り付けた第１不揮発性メモリにアクセスすることを含む。
【００３６】
他の特徴において、方法は、コネクタブロックを経て前記圧縮機の内部と外部を電気的に接続することをさらに含み、第１不揮発性メモリにアクセスすることはコネクタブロックの中に埋め込んだ第１不揮発性メモリにアクセスすることを含む。
【００３７】
他の特徴において、第１不揮発性メモリにアクセスすることは、ＲＦＩＤデバイスの第１不揮発性メモリにアクセスすることを含む。
【００３８】
他の特徴において、圧縮機データを格納することは、圧縮機モデルタイプデータと、圧縮機の型番データと、圧縮機の容量データと、前記圧縮機と関連づけ且つ圧縮機運転データを算出するのに用いた数値定数からなる圧縮機運転係数データとのうちの少なくともひとつを格納することを含む。
【００３９】
他の特徴において、圧縮機データを格納することは、前記圧縮機と関連づけた数値定数からなる圧縮機運転係数データを格納することを含み、該方法は、圧縮機の数値定数に基づいて圧縮機運転データを算出することをさらに含む。
【００４０】
他の特徴において、圧縮機データを格納することは、圧縮機の材料勘定書データと、圧縮機の建造シートデータと、圧縮機の建造日時データと、圧縮機の建造プラントデータと、圧縮機の建造シフトデータと、圧縮機の建造組み立てラインデータと、圧縮機のインスペクタデータとのうちの少なくともひとつを格納することを含む。
【００４１】
他の特徴において、圧縮機データを格納することは、圧縮機のエネルギ効率比データと、圧縮機の低電圧始動データと、圧縮機のワット数データと、圧縮機の最大電流データと、圧縮機の冷媒流れデータとのうちの少なくともひとつを格納することを含む。
【００４２】
他の特徴において、圧縮機データを格納することは、圧縮機の据え付け場所データと、圧縮機の据え付け日時データと、圧縮機の設置者データと、圧縮機の購入場所データとのうちの少なくともひとつを格納することを含む。
【００４３】
他の特徴において、圧縮機データを格納することは、圧縮機の修理日時データと、圧縮機の修理タイプデータと、圧縮機の修理パーツデータと、圧縮機のサービス技術者データとのうちの少なくともひとつを格納することを含む。
【００４４】
他の特徴において、圧縮機データを格納することは、吸引圧力データと、吐出圧力データと、吸引温度データと、吐出温度データと、電流データと、電圧データと、環境温度データと、圧縮機モータ温度データと、圧縮エレメント温度データと、圧縮機軸受温度データと、オイル温度データと、圧縮機制御データとのうちの少なくともひとつを格納することを含む。
【００４５】
他の特徴において、方法は、第２不揮発性メモリおよび／または第１不揮発性メモリの中の前記運転メモリから冷凍システムデータを格納することをさらに有し、冷凍システムデータを格納することは、凝縮器温度データと蒸発器温度データとの少なくとも一方を格納することを含む。
【００４６】
他の特徴において、圧縮機データを格納することは、圧縮機の過失履歴データを格納することを含む。
【００４７】
さらに、プロセッサおよび第１不揮発性メモリを含む取り外し可能なモジュールを有する圧縮機のための性能評価方法を提供している。この方法は、圧縮機と関連づけた第２不揮発性メモリの中に格納された圧縮機データにアクセスし、且つ圧縮機データを評価して圧縮機性能を決定することを含む。
【００４８】
他の特徴において、第２不揮発性メモリの中に格納された圧縮機データにアクセスすることは、圧縮機の中に埋め込むかまたはタンパー耐性ハウジング内で圧縮機に貼り付けた第２不揮発性メモリにアクセスすることを含む。
【００４９】
他の特徴において、方法は、コネクタブロックを経て前記圧縮機の内部と外部を電気的に接続することをさらに含み、該圧縮機データにアクセスすることは、コネクタブロックの中に埋め込んだ第２不揮発性メモリにアクセスすることを含む。
【００５０】
他の特徴において、圧縮機データにアクセスすることは、ＲＦＩＤデバイスの第２不揮発性メモリにアクセスすることを含む。
【００５１】
他の特徴において、圧縮機データにアクセスすることは、圧縮機モデルタイプデータと、圧縮機の型番データと、圧縮機の容量データと、前記圧縮機と関連づけ且つ圧縮機運転データを算出するのに用いた数値定数からなる圧縮機運転係数データとのうちの少なくともひとつにアクセスすることを含む。
【００５２】
他の特徴において、圧縮機データにアクセスすることは、圧縮機の材料勘定書データと、圧縮機の建造シートデータと、圧縮機の建造日時データと、圧縮機の建造プラントデータと、圧縮機の建造シフトデータと、圧縮機の建造組み立てラインデータと、圧縮機のインスペクタデータとのうちの少なくともひとつにアクセスすることを含む。
【００５３】
他の特徴において、圧縮機データにアクセスすることは、圧縮機のエネルギ効率比データと、圧縮機の低電圧始動データと、圧縮機のワット数データと、圧縮機の最大電流データと、圧縮機の冷媒流れデータとのうちの少なくともひとつにアクセスすることを含む。
【００５４】
他の特徴において、圧縮機データにアクセスすることは、圧縮機の据え付け場所データと、圧縮機の据え付け日時データと、圧縮機の設置者データと、圧縮機の購入場所データとのうちの少なくともひとつにアクセスすることを含む。
【００５５】
他の特徴において、圧縮機データにアクセスすることは、圧縮機の修理日時データと、圧縮機の修理タイプデータと、圧縮機の修理パーツデータと、圧縮機のサービス技術者データとのうちの少なくともひとつにアクセスすることを含む。
【００５６】
他の特徴において、圧縮機データにアクセスすることは、吸引圧力データと、吐出圧力データと、吸引温度データと、吐出温度データと、電流データと、電圧データと、環境温度データと、圧縮機モータ温度データと、圧縮エレメント温度データと、圧縮機軸受温度データと、オイル温度データと、圧縮機制御データとのうちの少なくともひとつにアクセスすることを含む。
【００５７】
他の特徴において、方法は、圧縮機に関連づけた第２不揮発性メモリから冷凍システムデータにアクセスすることをさらに含み、凝縮器温度データと、蒸発器温度データとの少なくとも一方にアクセスすることを含む。
【００５８】
他の特徴において、圧縮機データにアクセスすることは、圧縮機の過失履歴データにアクセスすることを含む。
【００５９】
さらに、システムには、複数のローカルモジュールと通信動作可能なリモートモジュールを含むことを提案している。各々のローカルモジュールは、プロセッサおよび該プロセッサと関連づけた第１不揮発性メモリを含む。プロセッサは、第１不揮発性および該プロセッサと関連づけた第２不揮発性メモリと通信する。リモートモジュールは、第２不揮発性メモリからコピーした情報のデータベースを含む。
【００６０】
他の特徴において、第２不揮発性メモリは、圧縮機の中に埋め込むかまたはタンパー耐性ハウジング内で圧縮機に貼り付ける。
【００６１】
他の特徴において、システムは、圧縮機の内部と外部を電気的に接続させるために前記圧縮機に取り付けたコネクタブロックをさらに備え、第２不揮発性メモリは前記コネクタブロックの中に埋め込んでいる。
【００６２】
他の特徴において、システムは、第２不揮発性メモリを含むＲＦＩＤデバイスをさらに備える。
【００６３】
他の特徴において、ローカルモジュールは、選択的に圧縮機に取り付けられる。
【００６４】
他の特徴において、ローカルモジュールは、保護・制御システム、システムコントローラまたはハンドヘルド計算デバイスのひとつである。
【００６５】
他の特徴において、リモートモジュールは、コンピュータネットワークを経由して接続されている。
【００６６】
他の特徴において、圧縮機は、該圧縮機の内部と外部を電気的に接続させるために圧縮機に取り付けたコネクタブロックを有する。第２不揮発性メモリは、コネクタブロックの中に埋め込まれている。
【００６７】
他の特徴において、第２不揮発性メモリは、圧縮機モデルタイプデータと、圧縮機の型番データと、圧縮機の容量データと、前記圧縮機と関連づけ且つ圧縮機運転データを算出するのに用いた数値定数からなる圧縮機運転係数データとのうちの少なくともひとつを含む圧縮機特定データを格納する。ローカルモジュールは、データベースに格納するために圧縮機特定データをリモートモジュールに送信する。
【００６８】
他の特徴において、第２不揮発性メモリは、圧縮機の材料勘定書データと、圧縮機の建造シートデータと、圧縮機の建造日時データと、圧縮機の建造プラントデータと、圧縮機の建造シフトデータと、圧縮機の建造組み立てラインデータと、圧縮機のインスペクタデータとのうちの少なくともひとつを含む圧縮機特定データを格納する。ローカルモジュールは、データベースに格納するために圧縮機特定データをリモートモジュールに送信する。
【００６９】
他の特徴において、第２不揮発性メモリは、圧縮機のエネルギ効率比データと、圧縮機の低電圧始動データと、圧縮機のワット数データと、圧縮機の最大電流データと、圧縮機の冷媒流れデータと、のうちの少なくともひとつを含む圧縮機特定データを格納する。ローカルモジュールは、データベースに格納するために圧縮機特定データをリモートモジュールに送信する。
【００７０】
他の特徴において、第２不揮発性メモリは、圧縮機の据え付け場所データと、圧縮機の据え付け日時データと、圧縮機の設置者データと、圧縮機の購入場所データとのうちの少なくともひとつを含む圧縮機特定データを格納する。ローカルモジュールは、データベースに格納するために圧縮機特定データをリモートモジュールに送信する。
【００７１】
他の特徴において、第２不揮発性メモリは、圧縮機の修理日時データと、圧縮機の修理タイプデータと、圧縮機の修理パーツデータと、圧縮機のサービス技術者データとのうちの少なくともひとつを含む圧縮機特定データを格納する。ローカルモジュールは、データベースに格納するために圧縮機特定データをリモートモジュールに送信する。
【００７２】
他の特徴において、第２不揮発性メモリは、吸引圧力データと、吐出圧力データと、吸引温度データと、吐出温度データと、電流データと、電圧データと、環境温度データと、圧縮機モータ温度データと、圧縮エレメント温度データと、圧縮機軸受温度データと、オイル温度データと、圧縮機制御データとのうちの少なくともひとつを含む圧縮機特定データを格納する。ローカルモジュールは、データベースに格納するために圧縮機特定データをリモートモジュールに送信する。
【００７３】
他の特徴において、第２不揮発性メモリは、凝縮器温度データと、蒸発器温度データとの少なくとも一方を含む冷凍システムデータを格納する。ローカルモジュールは、データベースに格納するために冷凍システムデータをリモートモジュールに送信する。
【００７４】
他の特徴において、第２不揮発性メモリは圧縮機過失履歴データを格納する。ローカルモジュールは、データベースに格納するために圧縮機過失履歴データをリモートモジュールに送信する。
【００７５】
さらに、圧縮機性能の評価方法は、複数のローカルモジュールと通信するリモートモジュールのために提供している。この方法は、各々のローカルモジュールのために、第２不揮発性メモリおよび／または運転メモリと関連づけたプロセッサを用いて、圧縮機と関連づけた第１不揮発性メモリにアクセスし、且つ第２不揮発性メモリおよび／または第１不揮発性メモリの中の運転メモリから圧縮機データを格納することを含む。また、この方法は、リモートモジュールのために、各々の第１不揮発性メモリの中の前記圧縮機データにアクセスし、圧縮機データをデータベースに格納し、且つ圧縮機性能を評価するためにデータベースにアクセスすることを含む。
【００７６】
他の特徴において、各々の第１不揮発性メモリの中の圧縮機データにアクセスすることは、コンピュータネットワークによって前記圧縮機データにアクセスすることを含む。
【００７７】
他の特徴において、リモートモジュールのために、圧縮機データにアクセスすることは、圧縮機モデルタイプデータと、圧縮機の型番データと、圧縮機の容量データと、前記圧縮機と関連づけ且つ圧縮機運転データを算出するのに用いた数値定数からなる圧縮機運転係数データとのうちの少なくともひとつにアクセスすることを含む。
【００７８】
他の特徴において、リモートモジュールのために、圧縮機データにアクセスすることは、圧縮機の材料勘定書データと、圧縮機の建造シートデータと、圧縮機の建造日時データと、圧縮機の建造プラントデータと、圧縮機の建造シフトデータと、圧縮機の建造組み立てラインデータと、圧縮機のインスペクタデータとのうちの少なくともひとつにアクセスすることを含む。
【００７９】
他の特徴において、リモートモジュールのために、圧縮機データにアクセスすることは、圧縮機のエネルギ効率比データと、圧縮機の低電圧始動データと、圧縮機のワット数データと、圧縮機の最大電流データと、圧縮機の冷媒流れデータとのうちの少なくともひとつにアクセスすることを含む。
【００８０】
他の特徴において、リモートモジュールのために、圧縮機データにアクセスすることは、圧縮機の据え付け場所データと、圧縮機の据え付け日時データと、圧縮機の設置者データと、圧縮機の購入場所データとのうちの少なくともひとつにアクセスすることを含む。
【００８１】
他の特徴において、リモートモジュールのために、圧縮機データにアクセスすることは、圧縮機の修理日時データと、圧縮機の修理タイプデータと、圧縮機の修理パーツデータと、圧縮機のサービス技術者データとのうちの少なくともひとつにアクセスすることを含む。
【００８２】
他の特徴において、リモートモジュールのために、圧縮機データにアクセスすることは、吸引圧力データと、吐出圧力データと、吸引温度データと、吐出温度データと、電流データと、電圧データと、環境温度データと、圧縮機モータ温度データと、圧縮エレメント温度データと、圧縮機軸受温度データと、オイル温度データと、圧縮機制御データとのうちの少なくともひとつにアクセスすることを含む。
【００８３】
他の特徴において、各々のローカルモジュールのために、方法は、第２不揮発性メモリおよび／または第１不揮発性メモリの中の運転メモリから冷凍システムデータを格納することをさらに含む。リモートモジュールのために、方法は、各々の第１不揮発性メモリの中の冷凍システムデータにアクセスし、且つデータベースの中に冷凍システムデータを格納することをさらに含む。
【００８４】
他の特徴において、リモートモジュールのために、冷凍システムデータにアクセスすることは、凝縮器温度データおよび蒸発機温度データの少なくとも一方にアクセスすることを含む。
【００８５】
他の特徴において、リモートモジュールのために、圧縮機データにアクセスすることは、圧縮機の過失履歴データにアクセスすることを含む。
【００８６】
さらに、方法は、不揮発性メモリを有する圧縮機に保証を提供し、保証のもとに請求を受け取り、不揮発性メモリの中に格納したデータを検査し、および検査に基づいて請求に応答することを含むことを提供している。
【００８７】
他の特徴において、不揮発性メモリに格納したデータを検査することは、圧縮機の中に埋め込むかまたはタンパー耐性ハウジング内で圧縮機に貼り付けた不揮発性メモリを検査することを含む。
【００８８】
他の特徴において、不揮発性メモリに格納したデータを検査することは、圧縮機の内部と外部との電気的接続を得るコネクタブロックの中に埋め込んだ不揮発性メモリを検査することを含む。
【００８９】
他の特徴において、不揮発性メモリに格納したデータを検査することは、ＲＦＩＤデバイスの中の不揮発性メモリを検査することを含む。
【００９０】
他の特徴において、保証を提供することは、圧縮機が交換または修理されうる諸条件を提供することを含む。
【００９１】
他の特徴において、保証を提供することは圧縮機の誤使用を定義することを含む。請求に応答することは、データに基づいて圧縮機誤使用を決定し、そして該データが圧縮機誤使用を指摘するときに圧縮機を交換または修理することを拒否することを含む。
【００９２】
他の特徴において、誤使用を定義することは、圧縮機について許容運転範囲を定義することを含み、且つ圧縮機誤使用を決定することはデータを許容運転範囲と比較することを含む。
【００９３】
他の特徴において、許容運転範囲を定義することは、冷媒レベル範囲と、冷媒圧力範囲と、冷媒温度範囲と、電流範囲と、電圧範囲と、環境温度範囲と、圧縮機モータ温度範囲と、圧縮機軸受温度範囲と、オイル温度データ範囲とのうちの少なくともひとつを定義することを含む。
【００９４】
他の特徴において、保証を提供することは前記圧縮機の誤使用を定義することを含む。請求に応答することは、データおよび保証に基づいて圧縮機誤使用を決定し、そしてデータが圧縮機誤使用を示していないときに圧縮機を交換または修理することを含む。
【００９５】
他の特徴において、請求に応答することは、データが圧縮機が機能していることを示すときに圧縮機を交換または修理することを拒否することを含む。
【００９６】
他の特徴において、請求に応答することは、検査に基づいて圧縮機の機能不良の原因を決定し、該決定に基づいて圧縮機を修理することを含む。
【００９７】
他の特徴において、データを検査することは、圧縮機モデルタイプデータと、圧縮機の型番データと、圧縮機の容量データと、前記圧縮機と関連づけ且つ圧縮機運転データを算出するのに用いた数値定数からなる圧縮機運転係数データとのうちの少なくともひとつを検査することを含む。
【００９８】
他の特徴において、データを検査することは、圧縮機の材料勘定書データと、圧縮機の建造シートデータと、圧縮機の建造日時データと、圧縮機の建造プラントデータと、圧縮機の建造シフトデータと、圧縮機の建造組み立てラインデータと、圧縮機のインスペクタデータとのうちの少なくともひとつを検査することを含む。
【００９９】
他の特徴において、データを検査することは、圧縮機のエネルギ効率比データと、圧縮機の低電圧始動データと、圧縮機のワット数データと、圧縮機の最大電流データと、圧縮機の冷媒流れデータとのうちの少なくともひとつを検査することを含む。
【０１００】
他の特徴において、データを検査することは、圧縮機の据え付け場所データと、圧縮機の据え付け日時データと、圧縮機の設置者データと、圧縮機の購入場所データとのうちの少なくともひとつを検査することを含む。
【０１０１】
他の特徴において、データを検査することは、圧縮機の修理日時データと、圧縮機の修理タイプデータと、圧縮機の修理パーツデータと、圧縮機のサービス技術者データとのうちの少なくともひとつを検査することを含む。
【０１０２】
他の特徴において、データを検査することは、吸引圧力データと、吐出圧力データと、吸引温度データと、吐出温度データと、電流データと、電圧データと、環境温度データと、圧縮機モータ温度データと、圧縮エレメント温度データと、圧縮機軸受温度データと、オイル温度データと、圧縮機制御データとのうちの少なくともひとつを検査することを含む。
【０１０３】
他の特徴において、データを検査することは、凝縮器温度データと、蒸発器温度データとの少なくとも一方を検査することを含む。
【０１０４】
他の特徴において、データを検査することは、圧縮機の過失履歴データを検査することを含む。
【０１０５】
さらに、方法は、不揮発性メモリを有する圧縮機を保証し、該圧縮機の修理または交換のための請求を受け取り、該圧縮機が誤使用されたかどうかを決定するために前記不揮発性メモリに格納したデータにアクセスし、該データが圧縮機を誤使用したことを示すときに圧縮機を修理または交換することを拒否し、およびデータが圧縮機を誤使用していなかったことを指摘するときに圧縮機を修理または交換することを含む。
【０１０６】
他の特徴において、不揮発性メモリの中のデータにアクセスすることは、圧縮機の中に埋め込むかまたはタンパー耐性ハウジング内で圧縮機に貼り付けた不揮発性メモリにアクセスすることを含む。
【０１０７】
他の特徴において、不揮発性メモリの中のデータにアクセスすることは、圧縮機の内部と外部との電気的接続を得るコネクタブロックの中に埋め込んだ不揮発性メモリにアクセスすることを含む。
【０１０８】
他の特徴において、不揮発性メモリの中のデータにアクセスすることは、ＲＦＩＤデバイスの中の不揮発性メモリにアクセスすることを含む。
【０１０９】
他の特徴において、圧縮機を保証することは、圧縮機誤使用を定義することを含む。
【０１１０】
他の特徴において、圧縮機誤使用を定義することは、圧縮機について許容運転範囲を定義することを含む。
【０１１１】
他の特徴において、許容運転範囲を定義することは、冷媒レベル範囲と、冷媒圧力範囲と、冷媒温度範囲と、電流範囲と、電圧範囲と、環境温度範囲と、圧縮機モータ温度範囲と、圧縮機軸受温度範囲と、オイル温度データ範囲とのうちの少なくともひとつを定義することを含む。
【０１１２】
他の特徴において、圧縮機が誤使用されたかどうかを決定するために不揮発性メモリに格納したデータにアクセスすることは、該データを許容運転範囲と比較し、そして圧縮機が該比較に基づいて誤使用されたかどうかを決定することを含む。
【０１１３】
さらなる領域および用途は、本明細書に提示された説明から明らかになるであろう。その説明および特定の実例は、単に例示のためだけであって本発明の範囲を限定するつもりでないことを理解されるべきである。
【実施例】
【０１１４】
以下の説明は本質的に単なる実例であって、本開示、出願または用途を限定するものではない。図面、対応する参照番号は、終始、類似または対応する部品および特徴を示すことが理解されるべきである。
【０１１５】
本明細書で用いられるように、モジュール、制御モジュールおよびコントローラという用語は１または２以上の次のものを参照している。特定用途向け集積回路（ＡＳＩＣ）、電子回路、１または２以上のソフトウェアまたはファームウェアプログラムを実行するプロセッサ（共用、専用またはグループ）およびメモリ、記述した機能性を提供する組合せ論理回路または他の適当なコンポーネント。さらに、本明細書で用いられるように、コンピュータ読み込み可能なメディアは、コンピュータ用のデータを格納できる何らかのメディアのことを示唆している。コンピュータ読み込み可能なメディアには、ＣＤ−ＲＯＭ、フロッピー（登録商標）ディスク、磁気テープ、データを格納できる他の磁気メディア、メモリ、ＲＡＭ、ＲＯＭ、ＰＲＯＭ、ＥＰＲＯＭ、ＥＥＰＲＯＭ、フラッシュメモリ、パンチカード類、ディップスイッチ類またはコンピュータ用のデータを格納できる何らかの他のメディアを含むけれども、これらに限定されるものではない。
【０１１６】
保護・制御システムは、圧縮機または冷凍システムのセンサによって発生した運転信号をモニターでき、圧縮機または冷凍システムの運転データを測定できる。保護・制御システムは、２００５年２月１６日に出願した本出願人の普通所有の米国特許出願第１１／０５９６４６号、公表第２００５／０２３５６６０号に開示されたタイプのものでよく、その開示は参照によって本明細書に組み入れられている。しかしながら、他の適当なシステムを用いてもよいことも理解される。
【０１１７】
保護・制御システムは、情報伝達的に圧縮機と接続され、且つ物理的に圧縮機に設置されうるが、該圧縮機から分離も可能である。保護・制御システムは、圧縮機から取り外しまたは分離できる限りにおいて該圧縮機から物理的に分離できる。例えば、保護・制御システムは交換または修理でき、そして圧縮機に再設置できる。
【０１１８】
保護・制御システムは、圧縮機および／または冷凍システムの運転を監視できる。例えば、保護・制御システムは、圧縮機の運転モードを決定でき、且つ条件が好ましくないときに稼動を制限することによって圧縮機を保護できる。さらに、保護・制御システムは、圧縮機または冷凍システムの故障が発生したか否かを決定できる。
【０１１９】
図１から図４に関して、圧縮機１０は、頂部に溶接止めやボルト止めのキャップ１４および底部に溶接止めやボルト止めのベース１６を有する通常円筒形の気密または半気密の外殻１２を備えていてもよい。キャップ１４およびベース１６は、圧縮機１０のインテリアボリューム１８を定めるように外殻１２に取り付ければよい。キャップ１４は吐出継手２０を備え、一方、外殻１２は、通常、キャップ１４とベース１６との間に配置した入口継手２２を同様に備えていてもよい。端子箱カバー３２を有する端子箱３０は、外殻１２に取り付ければよい。
【０１２０】
端子箱３０には、保護・制御システム３４を収容できる。保護・制御システム３４は、保護・制御システムハウジング３６と、プロセシング回路機構４２を有する集積回路（ＩＣ）４０とを有していてもよい。保護・制御システム３４は、プロセッサ３９のようなデータ処理手段を含むプロセシング回路機構４２を包含していてもよい。プロセッサ３９は、中央処理装置（ＣＰＵ）またはマイクロプロセッサであればよい。また、プロセシング回路機構４２は、ランダムアクセスメモリ（ＲＡＭ）４１と、読取り専用メモリ（ＲＯＭ）４３のような不揮発性メモリとを有していればよい。その代わりに、データ処理手段は、特定用途向け集積回路（ＡＳＩＣ）、電子回路、組合せ論理回路、または記述した機能性を提供しうる他の適当なコンポーネントによって実用化されてもよい。
【０１２１】
保護・制御システム３４は、本明細書に記述した方法で実行するためにＲＯＭ４３に格納した操作プログラムによって稼動させてもよい。ＲＡＭ４１は、保護・制御システム３４の稼動時に動作メモリとして機能すればよい。プロセッサ３９は、ＲＡＭ４１およびＲＯＭ４３のいずれにもアクセスできる。
【０１２２】
保護・制御システムハウジング３６は、ハウジング表面部およびハウジング背面部を有していればよい。保護・制御システム３４は、気密コネクタブロック４４によって嵌め合い受容され、該ブロックは端子箱３０内に配置され且つ圧縮機外殻１２に強固に取り付ければよい。気密コネクタブロック４４は、以下でより詳細に説明するように、電力導体４７を経て圧縮機モータ（図示しない）に電力を送電しながら、圧縮機１０の密閉性を維持することができる。保護・制御システム３４は、外殻１２に溶接するかまたは他の方法で強固に取り付ける２本のスタッド４９を用いて外殻１２に設置すればよい。
【０１２３】
埋め込み型メモリシステム４５は、圧縮機１０中に埋め込んだ不揮発性メモリ４６を有していてもよい。特に、不揮発性メモリ４６は、気密コネクタブロック４４中に埋め込まれるとよい。メモリシステム４５は、不揮発性メモリ４６とインターフェイス接続されるメモリコネクタ４８を有していてもよい。不揮発性メモリ４６は、例えば、圧縮機モデル、タイプおよび容量に対応する数値定数を含む圧縮機特定データを有していればよい。換言すれば、ある一定の圧縮機系統またはＩＤ情報は、不揮発性メモリ４６の中に格納されている。
【０１２４】
不揮発性メモリ４６は、圧縮機１０の全運転寿命間にわたって、圧縮機１０に取り付けられるかまたは埋め込まれた気密コネクタブロック４４の中に留まっていればよい。このように、圧縮機が異なる位置に動かされ、修理のために製造者に戻されまたは異なる保護・制御システムで使用されるか否かにかかわらず、圧縮機特定データは圧縮機１０とともに留まり、不揮発性メモリ４６の中に格納されている。
【０１２５】
その代わりに、不揮発性メモリ４６は、圧縮機１０においてタンパー耐性ハウジングかどこか他に位置させてもよい。例えば、不揮発性メモリ４６は、端子箱３０または端子箱カバー３２中に埋め込むかまたはそれらに取り付けたタンパー耐性ハウジング内にある。さらに、不揮発性メモリ４６は、圧縮機外殻１２中に埋め込むかまたは圧縮機１０のインテリアボリューム１８内に位置させればよい。不揮発性メモリ４６は、ユーザ、顧客、修理者または技術者が通常近づきにくい適当な場所に位置させればよい。タンパー耐性ハウジングは、圧縮機１０に貼り付けるか接着するかあるいは何らかの方法で取り付けた密閉パッケージを有し、且つ不揮発性メモリを隔離および保護する態様で収納するように設定させればよい。さらに、不揮発性メモリ４６は、プロセシング回路機構４２における保護・制御システム３４内に位置させてもよい。
【０１２６】
不揮発性メモリ４６は、気密コネクタブロック４４、端子箱３０、端子箱カバー３２のような圧縮機コンポーネントまたは隔離且つタンパー耐性方式で不揮発性メモリ４６を維持する他の適当なコンポーネントにインモールドされてもよい。このようにして、不揮発性メモリ４６は、圧縮機１０の運転寿命間に該圧縮機とともに留まっている。
【０１２７】
気密コネクタブロック４４は、不揮発性メモリ４６と通信するメモリコネクタ４８とともに設定されてもよい。このようにして、不揮発性メモリ４６は、メモリコネクタ４８を経由して読み出しまたは書き込みすることができる。図３に示すように、メモリコネクタ４８は８ピンコネクタを有していてもよい。しかしながら、より多いかまたはより少ない本数のピンを有する他のコネクタ構成を用いてもよい。さらに、不揮発性メモリ４６とのインターフェイスを設定するために他のタイプのコネクタを使用してもよい。例えば、直列データ接続を不揮発性メモリ４６によって行ってもよい。さらに、不揮発性メモリ４６と通信させるためにＲＦＩＤデバイスのようなワイヤレスデバイスを使用してもよい。
【０１２８】
一例として、不揮発性メモリ４６は、２キロバイトまたは４キロバイトの消去可能プログラム可能読み出し専用メモリ（ＥＰＲＯＭ）チップまたは電気的消去可能書き込み可能な読み出し専用メモリ（ＥＥＰＲＯＭ）チップであればよい。フラッシュメモリ、磁気メディア、光学メディアまたはデータを格納するのに適した他の不揮発性メモリを含む他のタイプおよび他のサイズのメモリデバイスを使用してもよい。さらに、ＲＦＩＤデバイスを用いてもよい。ＲＦＩＤデバイスは不揮発性メモリを含み、且つデータをワイヤレスで通信することができる。ＲＦＩＤデバイスを用いるならば、メモリコネクタ４８は、ＲＦＩＤデバイスと通信できるワイヤレスデータ通信デバイスであればよい。
【０１２９】
本明細書で用いるように、不揮発性メモリ４６には、ＥＰＲＯＭやＥＥＰＲＯＭのように、電力が供給されないときにデータ内容を記憶しているメモリを引き合いに出すつもりである。さらに、不揮発性メモリは、独立の電源とともに設定されてデータを記憶する在来の揮発性メモリを含んでいてもよい。例えば、ランダムアクセスメモリ（ＲＡＭ）が用いられ、圧縮機１０の期待運転寿命よりも長い期待電池寿命を有するバッテリのような独立の電源を有する圧縮機１０中に埋め込まれていてもよい。
【０１３０】
ＩＣ４０は、保護・制御システム３４を気密コネクタブロック４４に取り付けたときに、ＩＣコネクタ５０がメモリコネクタ４８によって嵌め合い受容されるように該ＩＣコネクタとともに設定されてもよい。このようにして、不揮発性メモリ４６は、ＩＣコネクタ５０およびメモリコネクタ４８を経由してプロセシング回路機構４２と通信できる。プロセシング回路機構４２は、不揮発性メモリ４６から読み出しまたは書き込みできる。
【０１３１】
不揮発性メモリ４６は、メモリコネクタ４８および保護・制御システム３４またはメモリコネクタ４８に接続した他のデバイスから電力を受け入れればよい。このようにして、不揮発性メモリ４６は、独立した電源を必要とするものではない。
【０１３２】
気密コネクタブロック４４は、圧縮機モータ（図示しない）のような内部の圧縮機コンポーネントと電気的に接続した３本の電力導体４７とともに設定されてもよい。三相電力が、端子箱３０によって受容される電力コード５２を経由して圧縮機１０に送電される。電力コード５２は、ハウジング３６の表面の孔３７を介して３本の導電スタッド５４の端部に取り付ければよい。気密コネクタブロック４４は３本の導電スタッド５４を受け入れてもよい。３本の導電スタッド５４の各々は、電力コード５２によって送電される三相電力の個々の相に接続すればよい。設置時には、電力導体４７の各々の孔が３本の導電スタッド５４のひとつを受け入れうるように、電力導体４７を曲げればよい。このようにして、電力導体４７は導電スタッド５４に電気的に接続され、且つ三相電力を電力コード５２から圧縮機１０へ送電している。
【０１３３】
圧縮機１０への三相電力の送電を記述しているが、その代わりに圧縮機１０が単相電力を受け入れてもよい。さらに、圧縮機１０へ電力を送電するための何らかの他のシステムを使用してもよい。
【０１３４】
また、少なくとも１本の導電スタッド５４を経てＩＣ４０およびプロセシング回路機構４２へ電力が送電されてもよい。圧縮機１０は三相電力で動かされるにしても、ＩＣ４０およびプロセシング回路機構４２は導電スタッド５４の１本からの単相電力によって動かされてもよい。
【０１３５】
プロセシング回路機構４２は、圧縮機または冷凍システムセンサによって発生した種々の運転信号を受け入れることができる。プロセシング回路機構４２は、圧縮機または冷凍システムの運転データを測定または導き出してもよい。電流センサ５６はＩＣ４０に設置され、且つ圧縮機１０によって引き出された電流量に対応する電流信号を発生してもよい。プロセシング回路機構４２は、電流センサ５６によって発生した電流信号を監視すればよい。通常、圧縮機によって引き出された電流レベルは、該圧縮機の現時点負荷に相当する。圧縮機１０によって引き出された電流は、通常、圧縮機１０の現時点負荷が増大すると増加する。
【０１３６】
追加の圧縮機センサは、圧縮機外殻１２内に設置すればよい。このような内部圧縮機センサは、モータ温度センサ、吐出ライン温度センサ、吸入圧力センサなどを含んでいてもよい。別の気密コネクタブロック５８は、圧縮機外殻１２に強固に取り付けられ、且つ内部圧縮機センサの各々に接続した導電端子６０とともに設定されてもよい。プロセシング回路機構４２は、内部圧縮機センサによって発生した運転信号を受け入れてもよい。また、プロセシング回路機構４２は、圧縮機１０の外部の追加のシステムまたは圧縮機センサからの追加の運転信号を受け入れてもよい。種々の運転信号に基づいて、プロセシング回路機構４２は、圧縮機１０の運転モードを決定し、且つ圧縮機またはシステムの過失警告を発生することができる。
【０１３７】
保護・制御システム３４は、ハウジング３６の表面の孔６３を経てプロセシング回路機構４２に接続した通信端末６２とともに設定されてもよい。通信端末６２は、多数のネットワーク／通信デバイスに接続すればよい。以下でより詳細に且つ２００５年２月１６日に出願した本出願人の普通所有の米国特許出願第１１／０５９６４６号、公表第２００５／０２３５６６０号に記述したように、通信端末６２は、ハンドヘルド計算デバイス、システムコントローラまたは他の適当な通信／ネットワークデバイスに接続して通信操作が可能である。
【０１３８】
次に図５を参照すると、メモリシステム４５用のデータアクセス制御アルゴリズムを例示するフローチャートを示している。平常の運転の前に、メモリシステム４５は、グループ分けのステップ９８において圧縮機特定データを含む初期設定データでロードされてもよい。圧縮機１０が最初に組み立てられ且つメモリシステム４５とともに設定されると、例えば、圧縮機製造者がステップ１００において圧縮機特定データをロードすればよい。この圧縮特定データは、メモリシステム４５を関連づける特定の圧縮機１０に関係した製造データを含んでいてもよい。
【０１３９】
例えば、初期設定データは、圧縮機モデル、型番および容量サイズを含んでいてもよい。圧縮機の材料の勘定書すなわち個々のコンポーネントすべての部品番号のリストもまた、メモリシステム４５にロードしてもよい。また、建造シートすなわち圧縮機１０の組み立てで実施される一連の作業をロードしてもよい。また、日付、シフト、プラント、組み立てラインおよび圧縮機１０を建造および検査したインスペクタに関するデータをロードしてもよい。
【０１４０】
また、圧縮機特定データは、圧縮機製造者によってメモリシステム４５にロードされた試験データ情報を含んでいてもよい。試験データはエネルギ効率比を含んでいてもよく、これは圧縮機の英国熱量単位（ＢＴＵ）／時を入力電力（ワット）に関係づける。また、試験データは、低電圧始動数を含んでいてもよく、これは圧縮機１０が始動しうる最低のライン電圧を意味する。また、試験データは、圧縮機１０に入力される電力に関連したワット数を含んでいてもよい。また、試験データは、最大負荷で圧縮機１０が引き出す最大電流を含んでいてもよい。また、試験データは、所定の試験条件下で冷媒流れ量を含んでいてもよい。
【０１４１】
また、圧縮機特定データは、圧縮機の運転係数データを含んでいてもよい。各々の圧縮機１０は、ある一定の計算および運転データ測定を行うときに保護・制御システム３４によって使用されるべきある一定の圧縮機特定の数値定数と関連づけられている。例えば、２００５年２月１６日に出願した本出願人の普通所有の米国特許出願第１１／０５９６４６号、公表第２００５／０２３５６６０号に開示されたように、保護・制御システム３４は、他の冷凍システムコンポーネントについてデータを計算するために圧縮機特定の数値定数を使用してもよい。
【０１４２】
例えば、保護・制御システム３４は、次の数１の式に基づいて凝縮器温度または蒸発器温度を決定してもよい。
【数１】
2006307855.tif 000003
（式中、P は圧縮機出力、TCONDは凝縮器温度, TEVAPは蒸発器温度、C0 〜C9 は特定の圧縮機モデルおよび容量サイズに特有の定数である）
同様に、保護・制御システムは、次の数２の式に従って圧縮機容量を決定してもよい。
【数２】
2006307855.tif 000004
（式中、Ｘ は圧縮機容量、TCONDは凝縮器温度, TEVAPは蒸発器温度、Ｙ0〜Ｙ9 は特定の圧縮機モデルおよびサイズに特有の定数である）
【０１４３】
数値定数C0 〜C9 およびＹ0〜Ｙ9 は、伝統的に圧縮機製造者によって公表され且つ圧縮機が現場に据え付けられたときに保護・制御システム３４にロードされており、圧縮機１０が建造されたときに圧縮機製造者によってメモリシステム４５の不揮発性メモリ４６にプリロードされてもよい。このようにして、圧縮機特定データはメモリシステム４５にロードされ、それによって現場における設置者の据え付け負担を軽減し且つ据え付けエラーの可能性を最小化する。
【０１４４】
圧縮機に接続した特定の冷凍システムに関連した情報は、ステップ１０２においてシステム製造者によってメモリシステム４５にロードされてもよい。例えば、冷凍システム製造者は、圧縮機製造者によって圧縮機特定情報がロードされたメモリシステム４５とともに設定された圧縮機１０を受け取ってもよい。その時に、冷凍システム製造者は、例えば蒸発器または凝縮器を有する冷凍システムの中にコンポーネントとして圧縮機１０を用いることができる。冷凍システム製造者は、メモリシステム４５の中に、コンポーネントモデルのような冷凍システム情報と、蒸発器および凝縮器のようなシステムコンポーネントについての型番情報をロードすることができる。
【０１４５】
据え付けデータは、ステップ１０４において圧縮機が現場で据え付けられるときに設置者によってメモリシステム４５にロードされてもよい。上記で記述したように、メモリシステム４５は、メモリコネクタ４８とともに設定される。現場において、メモリシステム４５は、メモリコネクタ４８に直接接続したハンドヘルドデバイスで設置者によってアクセスすることができる。その代わりに、メモリシステム４５は、保護・制御システム３４が据え付けられた後にアクセスされてもよい。このような場合には、設置者は、保護・制御システム３４の通信端末６２に接続したハンドヘルドデバイスでメモリシステム４５にアクセスすればよい。このようにして、メモリシステム４５は、通信端末６２、プロセシング回路機構４２、ＩＣコネクタ５０およびメモリコネクタ４８を経由してハンドヘルドデバイスによってアクセス可能である。同様に、メモリシステム４５は、保護・制御システム３４の通信端末６２に接続した他のデバイスによってアクセスされてもよい。
【０１４６】
メモリシステム４５にロードされた据え付けデータは、据え付け場所、据え付け日付、設置者の名称および圧縮機１０を購入したディーラを含んでいてもよい。さらに、据え付けに続いて、圧縮機１０がいつか保守点検されるならば、サービス説明書および交換パーツのようなサービス情報が、同様にその時にメモリシステム４５にロードされてもよい。
【０１４７】
続いて図５に関して、圧縮機１０がいったん現場位置に設置されると、圧縮機１０は、グループ化ステップ１０６において平常運転に入ることができる。平常運転サイクルは、一般に、グループ化ステップ１０６に示されている。平常運転１０６時に、圧縮機１０はステップ１０８で稼動機能を実行できる。平常運転時に、保護・制御システム３４は、圧縮機または冷凍システムセンサによって発生した運転信号を監視し、且つ圧縮機または冷凍システム運転データを発生することができる。保護・制御システム３４は、圧縮機１０について運転モードを決定し、且つ圧縮機または冷凍システムの過失が起こっているか否かを決定してもよい。
【０１４８】
平常運転時に、保護・制御システム３４は、ステップ１１０において運転データをメモリシステム４５に書き込んでもよい。２キロバイトまたは４キロバイトのＥＥＰＲＯＭを用いるメモリシステム４５において、稼動の直近２〜３分についての運転データをメモリシステム４５に格納してもよい。より多くのメモリ量を有するメモリシステム４５を使用するならば、より長い期間の運転データを格納することができる。運転データの格納に割り当てたメモリがフルになると、保護・制御システム３４はまず最も古い運転データを消していってもよい。さらに、保護・制御システム３４は、運転データを格納するために割り当てたメモリをディスクリートセグメントに分割してもよい。割り当てたメモリがフルになると、最も古いセグメントが消され、そしてより新しい運転データで再書き込みされることになる。
【０１４９】
メモリシステム４５に書き込まれた運転データは、圧縮機、冷凍システムまたは保護・制御システム３４によって監視されるかまたは発生したいくつかの所定の信号およびパラメータを含んでいてもよい。例えば、運転データは、引き出された電流、圧縮機の電圧、環境温度、吐出ライン温度、吸い込みライン温度、圧縮機モータ巻線温度、圧縮エレメント温度、軸受温度、オイル温度、吐出ライン圧力、吸い込みライン圧力などを含んでいてもよい。また、運転データは、凝縮器温度および蒸発器温度のような冷凍システムデータを含んでいてもよい。また、運転データは、冷却ないし加熱、解凍命令などについての冷凍システムコールのような冷凍システム通信入力を含んでいてもよい。
【０１５０】
また、過失履歴データもメモリシステム４５に格納されてもよい。保護・制御システム３４は、ステップ１１２において圧縮機１０またはシステムの過失が起こっているか否かを決定することができる。過失が起こっていると、保護・制御システム３４は、ステップ１１４においてメモリシステム４５中の過失履歴データを更新することができる。過失履歴データは、直近の過失の日付、時間およびタイプに関連した情報を含んでいてもよい。例えば、７日間の過失履歴をメモリシステム４５に格納してもよい。最終過失の圧縮機モータ温度、最終過失電圧または電流、最終過失オイルレベル、最終過失のサイクル数などのような最終過失に関連した情報をメモリシステム４５に格納してもよい。
【０１５１】
ステップ１１６において、保護・制御システム３４は、メモリシステムデータについての要求が通信端末６２に接続したデバイスによってなされたか否かを決定することができる。デバイスがメモリシステム４５から通信端末６２を経由してデータを要求すると、保護・制御システム３４は、メモリシステム４５からの要求データを検索し、ステップ１１８において通信端末６２を経由してそれを要求デバイスに提供する。それから、保護・制御システム３４は、ステップ１０８に戻ってループする。
【０１５２】
このようにして、圧縮機特定データ、システムデータ、据え付けデータおよび運転データは、メモリシステム４５に格納され、そして通信端末６２を経由して保護・制御システム３４に接続した他のデバイスと同様に、保護・制御システム３４によってアクセスされることになる。
【０１５３】
メモリシステム４５に格納されたデータは、圧縮機性能または冷凍システム性能を評価するために用いられてもよい。例えば、メモリシステム４５に格納されたデータを検査することにより、運転データは、圧縮機の据え付け場所に照らしてみるのと同様に、圧縮機モデルおよび容量サイズに照らして評価されることになる。メモリシステム４５に格納されたデータは、性能に影響を及ぼす種々のファクタに基づき且つ特定の圧縮機仕様書に基づいて圧縮機の運転に識見を提供することができる。このようにして、メモリシステム４５に格納されたデータは、新規の圧縮機を購入しようと考えるときまたは新規の圧縮機を設計するときに評価アシストを提供することができる。
【０１５４】
保護・制御システム３４は、通信端末６２を経由してネットワークに接続されてもよい。このような場合には、メモリシステム４５は、ネットワークに接続した他のデバイスにアクセス可能である。その時に、圧縮機特定データ、システムデータおよび運転データが、圧縮機を診断し、冷凍システムを診断し、メンテナンスを予定しおよび圧縮機の保証請求を評価するために用いられてもよい。
【０１５５】
ついで図６を参照すると、圧縮機情報ネットワーク１５０を示している。１個または複数の保護・制御システム３４を、ネットワークに接続することができる。保護・制御システム３４は、プロセシング回路機構４２に通信的に接続される通信端末６２を経由してネットワークに接続されてもよい。その代わりに、保護・制御システム３４は、冷凍システムコントローラのようなシステムコントローラ１５２を経てネットワークに接続されてもよい。さらに、保護・制御システム３４は、ハンドヘルド計算デバイスまたは他の適当なネットワークデバイスと経てネットワークに接続されてもよい。保護・制御システム３４は、ワイヤードまたはワイヤレスインターネット接続１６０を経てインターネット１５８に接続されてもよい。
【０１５６】
保護・制御システム３４は、インターネット１５８のようなコンピュータネットワークに接続することができる。さらに、保護・制御システム３４は、インターネット１５８を経由してデータベースサーバ１５６に接続されてもよい。データベースサーバ１５６は、保護・制御システム３４およびコンピュータ読み取り可能メディア１６４に格納したコンピュータ情報データベースと通信するように設定されたモジュールであればよい。このようにして、メモリシステム４５のコンテンツは、データベースサーバ１５６を含むネットワークに接続した他のデバイスにアクセス可能になる。
【０１５７】
データベースサーバ１５６は、メモリシステム４５からデータベースサーバ１５６、保護・制御システム３４、システムコントローラ１５２、ハンドヘルド計算デバイスまたは他のネットワークデバイスによってイニシエートされたメモリシステム情報トランザクションを経て情報を集めてもよい。データベースサーバ１５６は、ネットワークに接続した複数のメモリシステム４５のコンテンツに基づいて包括的な圧縮機情報データベースを組み立てもよい。このようにして、データベースサーバ１５６は、ネットワークに接続され且つ世界の複数の場所に設置された多数の圧縮機１０のために、圧縮機同一性、場所、運転履歴、サービス履歴、過失履歴、過失データなどを含む圧縮機情報を格納している。
【０１５８】
圧縮機情報データベースは、圧縮機運転を評価するために用いられてもよい。このデータベースは、将来の圧縮機または冷凍システム設計を改良するため、現場サービス技術者訓練を改良するためおよび／またはある一定の同様の環境条件に関連した傾向を決定するために用いられてもよい。また、データベースサーバ情報は、販売および市場活動を分析するためのツールとして資産管理目的のために使用されてもよい。また、この情報は、冷凍システムおよびシステムコンポーネントの設計および実用化をアシストするために、システム製造者またはシステムコンポーネント製造者と共有されてもよい。換言すれば、このデータベースは、地理的な据え付け場所、圧縮機タイプと容量ならびに他の圧縮機仕様データにつなげられる圧縮機運転データを提供することができる。
【０１５９】
ついで図７を参照すると、メモリシステム４５に格納された情報は、圧縮機保証請求の管理時に使用されてもよい。圧縮機は製造者の保証によってカバーされてもよい。この保証は、圧縮機を交換または修理する諸条件を含んでいてもよい。この保証は、しばしば満了データを含んでいる。さらに、この保証は、圧縮機の誤使用および他の保証無効事象を定義しうる諸条件を含んでいてもよい。保証無効事象は、ある一定の誤使用状況を含んでいてもよい。例えば、この保証は、冷媒レベル範囲、冷媒圧力範囲、冷媒温度範囲、電流範囲、電圧範囲、環境温度範囲、圧縮機モータ温度範囲、圧縮機軸受温度範およびオイル温度データ範囲を含むある一定の許容可能な稼動範囲を含んでいればよい。ユーザがある期間誤使用条件を無視し且つ圧縮機を誤使用状況下で稼働させるならば、この保証を無効にすればよい。
【０１６０】
圧縮機過失が起こったときに、圧縮機１０または圧縮機コンポーネントが不良であるかあるいは保証の諸条件下で製造者によって修理を受けうる圧縮機製造者の保証のもとに請求がなされればよい。このような場合には、圧縮機の所有者は、返還理由を示す請求とともに圧縮機１０を製造者に返還すればよい。圧縮機製造者は、ステップ２００において保証請求情報を受け取ればよい。
【０１６１】
メモリシステム４５を有する圧縮機１０が保証請求のもとに製造者に返還されると、製造者はメモリシステム４５にアクセスして、過失履歴データおよび運転データを検査すればよい。メモリシステム４５からのデータは、ステップ２０２において圧縮機製造者によって検索されることになる。メモリシステムデータを検査することにより、製造者は、圧縮機１０が過失の原因であったか否かを確認できる。冷凍システムデータがメモリシステム４５に格納されていると、製造者は、凝縮器または蒸発器のような非圧縮機システムコンポーネントが保証請求で訴えられた過失の原因であったことを決定することができる。このような場合には、製造者は、圧縮機１０に欠陥がないかまたは修理が必要であることを迅速に決定することができる。圧縮機製造者は、ステップ２０４において非圧縮機コンポーネントに不手際があったか否かを決定してもよい。
【０１６２】
さらに、メモリシステム４５のコンテンツを検査することにより、製造者は、圧縮機の過失の前に保証無効事象が起こっていたか否かを決定することができる。例えば、メモリシステム４５は、低い冷凍流体条件が圧縮機の過失が起きる前にある期間無視されたことを明らかにすることができる。このような場合には、製造者は、圧縮機所有者が低い冷凍流体条件を無視したために保証請求が無効であることを決定してもよい。圧縮機製造者は、ステップ２０６において保証無効事象が起こったか否かを決定してもよい。
【０１６３】
ステップ２０４において圧縮機１０に落ち度があり且つステップ２０６において保証無効事象が起こっていなかったとき、圧縮機製造者は、ステップ２０８において保証の諸条件のもとに圧縮機を修理または交換すればよい。非圧縮機コンポーネントに不手際があるかまたはステップ２０４や２０６において保証無効事象が起こっていたとき、圧縮機製造者は、ステップ２１０において圧縮機所有者に通知すればよい。
【０１６４】
上述したように、メモリシステム４５がネットワークデバイスを経由して製造者にリモートでアクセス可能であると、製造者は、圧縮機１０が製造者に送られる前に予備的な保証請求決定を行うことができる。例えば、製造者に戻すために圧縮機をシステムから切り離す前に、圧縮機所有者は、保証によってカバーされる問題が起こったと思うことを単に製造者に通知してもよい。その時に、製造者は、圧縮機のメモリシステム４５にアクセスして、保証請求に関して予備決定を行うためにメモリシステムデータを検査すればよい。保証無効事象が起こったとき、製造者は、保証無効事象の存在に関して圧縮機所有者に問い合わせてもよい。また、圧縮機製造者は、訴えられた問題が非圧縮機コンポーネントの過失から生じたか否かに関して予備的な決定を行うことができる。このような予備的な決定は、不必要であるかまたはカバーできない保証請求によって失われる時間と費用を前もって節約することになるであろう。
【０１６５】
保証請求中に、圧縮機の故障が、メモリシステム４５に含まれるデータに基づいて非圧縮機システムコンポーネントの故障によったことが決められるならば、このデータを非圧縮機システムコンポーネントの製造者と共有することができる。このようにして、データおよび情報は、保証請求の管理をアシストするために他のコンポーネントおよびシステム製造者と共有されてもよい。
【０１６６】
この説明は本質的に単なる実例にすぎず、それ故に変形例は本発明の範囲に属するものである。このような変形例が、本発明の精神および範囲から逸脱するとみなされることはない。
【図面の簡単な説明】
【０１６７】
【図１】本発明に係る圧縮機の斜視図である。
【図２】本発明に係る圧縮機に取り付けた保護・制御システムの斜視図である。
【図３】本発明に係る保護・制御システムおよび圧縮機メモリシステムの分解図である。
【図４】本発明に係る保護・制御システムのプロセッシング回路の概略図である。
【図５】本発明に係る圧縮機メモリシステム用のデータアクセス制御アルゴリズムを例示するフローチャートである。
【図６】本発明に係る圧縮機情報ネットワークの概略説明図である。
【図７】本発明に係る保証管理方法を例示するフローチャートである。
【符号の説明】
【０１６８】
１０    圧縮機
１２    外殻
１４    キャップ
１６    ベース
２０    吐出継手
２２    入口継手
３０    端子箱
３２    端子箱カバー
３４    保護・制御システム
３６    保護・制御システムハウジング
３７    孔
３９    プロセッサ
４０    ＩＣ
４１    ランダムアクセスメモリ（ＲＡＭ）
４２    プロセシング回路機構
４３    読み取り専用メモリ（ＲＯＭ）
４４    気密コネクタブロック
４５    埋め込み型メモリシステム
４６    不揮発性メモリ
４７    電力導線
４８    メモリコネクタ
４９    スタッド
５０    ＩＣコネクタ
５２    電力コード
５４    導電スタッド
５６    電流センサ
５８    気密コネクタブロック
６２    通信端末
１５０    圧縮機情報ネットワーク
１５２    システムコントローラ
１５６    データベースサーバ
１５８    インターネット
１６０    インターネット接続
１６４    コンピュータ読み取り可能メディア
【図１】
2006307855.tif 000005
【図２】
2006307855.tif 000006
【図３】
2006307855.tif 000007
【図４】
2006307855.tif 000008
【図５】
2006307855.tif 000009
【図６】
2006307855.tif 000010
【図７】
2006307855.tif 000011